(57)【特許請求の範囲】
【請求項１】
筐体内に配置され、衣類を収容する乾燥室と、機器を操作するためのボタンなどが設けられ、前記筐体の前面に配置された操作パネルと、この操作パネルの裏側に配置され、機器を制御するための電装部品を収納した前面開放状の制御ボックスと、前記乾燥室に対して乾燥風を循環させる循環ファン面と冷却風を導入、導出させる冷却ファン面とを表裏一体に設け、循環する乾燥風と導入した冷却風との間で熱交換させると共に冷却風を筐体内に導入して前記制御ボックス内の電装部品を冷却する両面ファンとを備えた衣類乾燥機において、前記制御ボックスを、この制御ボックスに向かう冷却風の風上側に位置する底の浅い第１ケースと、この制御ボックスに向かう冷却風の風下側に前記第１ケースと隣接して一体形成され、前記第１ケースよりも後方へ膨出した底部を有する、底の深い第２ケースとで構成し、
前記第１ケースには発熱量の少ない電装部品を収納し、前記第２ケースには発熱量の多い電装部品を収納すると共に、前記底部の前記第１ケース側に面する壁に通気口を設けたことを特徴とする衣類乾燥機。
【請求項２】
前記通気口への入口側に、前記第１ケース側から流れてきた冷却風を前記通気口へと案内するリブを設けた請求項１に記載の衣類乾燥機。
【発明の詳細な説明】
【０００１】
【発明の属する技術分野】
本発明は、衣類乾燥機に関する。
【０００２】
【従来の技術】
従来、衣類乾燥機において、筐体の前面に配置された操作パネルの裏側に、機器を制御するための電装部品を収納した制御ボックスを取り付けたものがあり、また、この制御ボックス内の電装部品を、乾燥風との熱交換のために両面ファンによって、導入した外気（冷却風）の一部を筐体内に導いて、この冷却風により冷却するようにしたものがある。
【０００３】
この制御ボックス内には、商用電源（ＡＣ１００Ｖ）に接続されたトライアック、トランス、リレーなどのいわゆる一次側の電装部品と、商用電源から作られた直流電源に接続されたマイクロコンピュータなどのいわゆる二次側の電装部品とが一緒に収納されている。
【０００４】
一次側の電装部品は、流れる電流が大きく、またこのために発熱量が多くなる。一方、二次側の電装部品は、流れる電流が小さく、またこのために発熱量は少ない。このため、制御ボックス内では、二次側の電装部品が一次側の電装部品から発せられるノイズの影響や温度の影響などを受けないように、一次側の電装部品と二次側の電装部品とは分離されている。
【０００５】
【発明が解決しようとする課題】
しかしながら、従来のような構成では、制御ボックス内を冷却する冷却風の流れに対し、高発熱体である一次側の電装部品が二次側の電装部品の風上側にあると一次側の電装部品を冷却して暖まった風により、二次側の電装部品が加熱されてしまう虞があった。
【０００６】
また、二次側の電装部品が一次側の電装部品の風上側にある場合には、二次側の電装部品の加熱の虞はないが、それでも、二次側の電装部品によって多少なりとも暖まった風で一次側の電装部品を冷却することになり、一次側の電装部品が十分に冷却されないという問題が生じる。
【０００７】
本発明は、衣類乾燥機の改良に関し、このような問題を解決するものである。
【０００８】
【課題を解決するための手段】
本発明の請求項１に係わる構成は、筐体内に配置され、衣類を収容する乾燥室と、機器を操作するためのボタンなどが設けられ、前記筐体の前面に配置された操作パネルと、この操作パネルの裏側に配置され、機器を制御するための電装部品を収納した前面開放状の制御ボックスと、前記乾燥室に対して乾燥風を循環させる循環ファン面と冷却風を導入、導出させる冷却ファン面とを表裏一体に設け、循環する乾燥風と導入した冷却風との間で熱交換させると共に冷却風を筐体内に導入して前記制御ボックス内の電装部品を冷却する両面ファンとを備えた衣類乾燥機において、前記制御ボックスを、この制御ボックスに向かう冷却風の風上側に位置する底の浅い第１ケースと、この制御ボックスに向かう冷却風の風下側に前記第１ケースと隣接して一体形成され、前記第１ケースよりも後方へ膨出した底部を有する、底の深い第２ケースとで構成し、前記第１ケースには発熱量の少ない電装部品を収納し、前記第２ケースには発熱量の多い電装部品を収納すると共に、前記底部の前記第１ケース側に面する壁に通気口を設けたものである。
【０００９】
上記構成では、二次側の電装部品のように発熱量の少ない電装部品を一次側の電装部品のように発熱量の多い電装部品に対し冷却風の風上に配置しているので、発熱量の少ない電装部品が加熱されることがない。また、発熱量の多い電装部品が収納される第２ケースは第１ケースに対して底部が膨出しており、この底部に設けた通気口から直接冷却風を取り込んで第２ケース内の電装部品を冷却できるので、発熱量の多い電装部品も十分に冷却することができる。
【００１０】
本発明の請求項２に係わる構成は、請求項１の構成において、前記通気口への入口側に、前記第１ケース側から流れてきた冷却風を前記通気口へと案内するリブを設けたものである。
【００１１】
上記構成では、通気口からより良く冷却風を第２ケース内に取り込むことができる。
【００１２】
【発明の実施の形態】
本発明の実施の形態を各図面に基づいて説明する。
【００１３】
図１及び図２において、１は本実施形態の衣類乾燥機である。２はその筐体で、前後面が開口する金属製の機枠３と、この機枠３の前面を覆う金属製の前面板４と、機枠３の後面を覆う金属製の後面板５とからなる。前記前面板４には衣類の投入口６が設けられている。
【００１４】
７は衣類の乾燥室として前記筐体２内に設けられた前面開口状の横軸型ドラムで、後方を支軸８により回転可能に軸支されている。このドラム７の後面中央には排気口９が設けられており、この排気口９には、糸屑などを回収するためのリントフィルタ１０が配置されている。１１は前記前面板４の裏側であって前記投入口６の外側に設けられ、前記ドラム７の前面開口縁を支持する金属製の支持板である。この支持板１１の下部には吸気口１２が設けられている。
【００１５】
１３は前記支持板１１の前記吸気口１２の入口側に取り付けられた乾燥風の導入ダクトであり、このダクト内には、ヒータ１４が配置されている。
【００１６】
１５は前記投入口６を開閉するための扉であり、この扉１５は衣類乾燥機１本体を正面から見て左側の上下両端部が回転自在に支持されており、左側に開くようになっている。また、この扉１５の下端には、磁石３６（磁性体）が取り付けられている。
【００１７】
３７は前記前面板４の下部に取り付けられた操作パネルであり、この操作パネル３７の裏側には、衣類乾燥機１を運転制御するための電装部品を収納した制御ボックス３８が取り付けられている。この制御ボックス３８内の上端位置には、リードスイッチ３９（近接スイッチ）が配置されている。このリードスイッチ３９は、前記扉１５が閉じられたときに前記磁石３６に近接して作動し、これにより、扉１５の開閉を検知するものである。なお、前記操作パネル３７及び前記制御ボックス３８の構成、並びに前記リードスイッチ３９の取付構造については、後に詳述する。
【００１８】
１６は前記ドラム７の後方であって、前記排気口９に対向して設けられたファンケーシングである。このファンケーシング１６は、前面中央部が開口したケーシング本体１６ａと、その開口部分に取り付けられ、前記支軸８が固定される金属製の前板１６ｂとからなる。
【００１９】
１７は前記ファンケーシング１６内において、前記支軸８により前記ドラム７と同軸に固定された熱交換型の両面ファンである。この両面ファン１７の表裏両面には放射状に羽根が一体形成されており、前記ドラム７側を循環ファン面１８、前記後面板５側を冷却ファン面１９としている。
【００２０】
２０は前記両面ファン１７の外周を囲むように前記ケーシング本体１６ａと一体的に設けられた仕切板で、その内周部を両面ファン１７の外周部に対向させている。この仕切板２０は、前記両面ファン１７と共に、前記ファンケーシング１６内を乾燥風路２１と冷却風路２２とに区画している。なお、前記両面ファン１７と前記仕切板２０との間は、非接触式であってシール効果の良好なラビリンス結合によりシールされている。
【００２１】
２３は前記排気口９と前記乾燥風路２１とを連通するために前記前板１６ｂに設けられた連通口、２４は排気口９から出た乾燥風を確実にこの連通口２３へと導くために設けられた環状のシール部材である。
【００２２】
２５は前記冷却風路２２内へ外気（冷却風）を導入するために前記後面板５の中央に設けられた導入口、２６は導入した外気を導出するために前記機枠３の底面に設けられた導出口である。
【００２３】
４０は前記ファンケーシング１６の上部に設けられた通風孔である。また、前記ファンケーシング１６の下部にも同様の通気口（図示せず）が設けられている。前記両面ファン１７により冷却風路２２内に取り込まれた冷却風は、上部の通風孔４０及び下部の通気孔を通って筐体２内へ入る。
【００２４】
２７は前記乾燥風路２１と前記導入ダクト１３とを連結する循環ダクトで、最下部の位置に排出口２８が設けられている。
【００２５】
２９は誘導モータであり、ドラムプーリ３０及びドラムベルト３１を介して前記ドラム７に連結されると共に、ファンプーリ３２及びファンベルト３３を介して前記両面ファン１７のプーリ３４に連結されている。３５はアイドラプーリであり、前記ドラムベルト３１に張力を与えることにより、ドラムベルト３１のスリップを防止するものである。
【００２６】
こうして、加熱乾燥時には、前記モータ２９が回転することにより、前記ドラム７が低速で、前記両面ファン１７が高速で、それぞれ正面から見て右回りで回転する。両面ファン１７の回転により発生し、ヒータ１４によって加熱された乾燥風は、前記乾燥風路２１、循環ダクト２７、導入ダクト１３、ドラム７を通って循環し、ドラム７内の衣類と熱交換を行う。同時に、両面ファン１７の回転により外気が冷却風路２２内に導入され、両面ファン１７自身を冷却する。そして、前記ドラム７内で熱交換して、衣類から水分を吸収した乾燥風が両面ファン１７に接触して冷却され、乾燥風中の水分が凝縮する。この凝縮水は、乾燥風路２１内を流れ下り、前記排出口２８から排出される。
【００２７】
さて、図３及び図４に基づき、前記操作パネル３７及び制御ボックス３８について詳述する。
【００２８】
前記操作パネル３７は後面が開放した横長の箱形状を有し、その上端には前記前面板に固定するときにネジ止めされる取付片４１が一体形成されている。前記操作パネル３７には、機器を操作するためのボタンである、スタートボタン４２、ヒータ切換ボタン４３、運転コース切換ボタン４４が設けられている。また、前記ヒータ切換ボタン４３で選択されたヒータ１４の強弱を表示するためのヒータ出力表示窓４５、前記運転コース切換ボタン４４で選択された運転コースを表示するためのコース表示窓４６、乾燥運転の進行具合いを表示するための進行表示窓４７が設けられている。さらに、前記操作パネル３７の裏面の４ケ所には、前記制御ボックス３８を取り付けるためのボス４７が一体形成されている。
【００２９】
前記制御ボックス３８は、前面が開放した箱形状を有しており、底の浅い第１ケース３８ａと、前記第１ケース３８ａと隣接して一体形成され、前記第１ケース３８ａよりも後方へ膨出した底部を有する、底の深い第２ケース３８ｂとで構成されている。組み立てられた状態で衣類乾燥機１を正面から見ると、前記第１ケース３８ａは右側に位置し、前記第２ケース３８ｂは左側に位置する。
【００３０】
前記第１ケース３８ａには、いわゆる二次側の電装部品が第１制御基板４８ａに実装されて収納されている。即ち、第１制御基板４８ａには、制御回路の中枢をなすマイクロコンピュータ４９のほか、前記スタートボタン４２、ヒータ切換ボタン４３、運転コース切換ボタン４４の操作により作動する、スタートスイッチ４２ａ、ヒータ切換スイッチ４３ａ、運転コース切換スイッチ４４ａ、前記ヒータ出力表示窓４５、コース表示窓４６、進行表示窓４７を点灯するためのＬＥＤ５０、などの電装部品が実装されている。これら二次側の電装部品は大きな電流が流れないため発熱量が少ない。
【００３１】
前記第２ケース３８には、前記モータ２９やヒータ１４を駆動するためのトライアック５１、交流の商用電源から直流電源を作るためのトランス５２などのいわゆる一次側の電装部品が第２制御基板４８ｂに実装されて収納されている。これら一次側の電装部品は大きな電流が流れるため発熱量が多くなる。
【００３２】
前記第２ケース３８ｂの底部５３において、前記第１ケース３８ａ側に面する壁であって、この第１ケース３８ａとの境界となる境界壁５３ａには、２つの通気口５４が設けられている。また、この境界壁５３ａを除く３つの壁では、通気を良くするため、ほぼ全周にわたり前部がカットされている。
【００３３】
前記通気口５４の入口側には、前記境界壁５３ａと前記第１ケース３８ａの底面とに跨って三角形のリブ５５が設けられている。このリブ５５は２つ通気口５４を挟むように３ケ所に設けられている。
【００３４】
電装部品を収納した前記制御ボックス３８は、裏側から前記操作パネル３７内に収められ、前記ボス４７にネジ５６にて止められる。このとき、前記第１ケース３８ａの前端と前記操作パネル３７の裏面との間には、冷却風を通すため僅かな隙間があくようにしている。また、前記第２ケース３８ｂの前端と前記操作パネル３７の裏面との間には、第２ケース３８ｂの前部をカットしたため冷却風を通すための広い隙間があく。前記第１ケース３８ａは前記操作パネル３７に完全に収められているので、第１ケース３８ａの隙間は操作パネル３７の側壁に覆われているが、前記第２ケース３８ｂは底部が操作パネル３７内からはみ出しており、第２ケース３８ｂの隙間は操作パネル３７の側壁からのぞく状態となっている。こうして、第２ケース３８ｂ側では、通気が良くなるようにしている。
【００３５】
前記制御ボックス３８を取り付けた前記操作パネル３７は、前記前面板４の下部に前方から取り付けられる。これにより、制御ボックス３８は前記筐体２内の下部位置に臨む。
【００３６】
以上の構成のもと、乾燥運転時、両面ファン１７が回転することにより、冷却風が、冷却風路２２内に取り込まれ、上部の通気孔４０及び下部の通気孔からさらに筐体２内に取り込まれる。そして、排出口２６から機外へ排出される。このとき、両面ファン１７及びドラム７は、正面から見て右回りで回転するので、冷却風は、筐体２内では右回りに流れ、制御ボックス３８が配置された本体の下部位置では、正面から見て右側から左側、即ち、図４の矢印のように、第１ケース３８ａ側から第２ケース３８ｂ側へと流れる。冷却風は、操作パネル３７と第１ケース３８ａとの隙間から第１ケース３８ａ内に入り込んで、第１ケース３８ａ内の二次側の電装部品を冷却すると共に、第２ケース３８ｂの通気口５４から第２ケース３８ｂ内に入り込んで、第２ケース３８ｂ内の二次側の電装部品を冷却する。このとき、冷却風はリブ５５に案内されてスムーズに通気口５４から第２ケース３８ｂ内に入る。
【００３７】
このように、本実施形態の衣類乾燥機では、発熱量の少ない二次側の電装部品を発熱量の多い一次側の電装部品に対し冷却風の風上に配置するようにしているので、二次側の電装部品が加熱されることがない。よって、二次側の電装部品の熱の影響による誤動作などを回避でき、信頼性が向上する。
【００３８】
また、第２ケース３８ｂの底部５３を第１ケース３８ａよりも後方へ膨出させ、この底部５３に設けた通気口５４から直接冷却風を取り込んで第２ケース３８ｂ内の一次側の電装部品を冷却するようにしているので、二次側の電装部品の影響を受けることなく、発熱量の多い電装部品を十分に冷却することができる。よって、一次側の電装部品の熱の影響による誤動作なども回避でき、信頼性が向上する。
【００３９】
さらに、第２ケース３８ｂの通気口５４の入口側に設けたリブ５５により、冷却風をスムーズに通気口５４に導くようにしたので、通気口５４からより良く冷却風を第２ケース３８ｂ内に取り込むことができ、冷却効率が向上する。
【００４０】
なお、リブ５５は境界壁５３ａと第１ケース３８ａの底面とに跨って設けるようにしているので、第１ケース３８ａと第２ケース３８ｂとの連結部が補強され、制御ボックス３８の強度が増す。
【００４１】
最後に、前記第１ケース３８ａ内の上部、即ち前記第１制御基板４８ａの上端部に設けた前記リードスイッチ３９（図３参照）について、その詳細な取付構造を図５（ａ）、（ｂ）に基づいて説明する。
【００４２】
前記リードスイッチ３９は、専用のケース５７に収納して前記第１制御基板４８ａの上端部に実装される。前記ケース５７は樹脂製であり、前部に設けたリードスイッチ３９の収容部５７ａと、ケース５７の上辺、即ちケース５７を前記第１制御基板４８ａに取り付けたときに、第１制御基板４８ａの上辺に沿う辺に形成され、内側にツメのついたツメ部５７ｂと、このツメ部５７ｂが形成された辺と相対する下辺に設けられたピン５７ｃとからなる。
【００４３】
一方、前記第１制御基板４８ａの上端部には、端部を切り欠いて形成され、前記ツメ部５７ｂが係止される切欠部５８と、前記ピン５７ｃが嵌合する嵌合孔５９が設けられている。
【００４４】
こうして、リードスイッチ３９を第１制御基板４８ａの上端部に取り付ける場合には、まず、リードスイッチ３９をケース５７に収容する。そして、ピン５７ｃを嵌合孔５９に嵌合すると共にツメ部５７ｂを切欠部５８に係止することにより、ケース５７を第１制御基板４８ａに取り付ける。
【００４５】
リードスイッチは感度良く動作させるために扉側にある磁石にできるだけ近づける必要があり、このためには、リードスイッチのケースはできるだけ制御基板の端に固定しなければならない。このような場合、ケースの両端にピンを設けると共に制御基板に嵌合孔を設けるような固定方法では、端に余り近いところで孔をあけると制御基板が割れてしまう虞があるためケースは制御基板の端に固定できない。
【００４６】
上記構成では、制御基板の端部に孔をあけることなく、制御基板の端を使ってケースを止めるようにしているので、ケースをできるだけ制御基板の端に固定でき、リードスイッチの感度が保持され、扉の開閉を確実に検知できる。
【００４７】
【発明の効果】
本発明の請求項１に係わる衣類乾燥機の構成によれば、発熱量の少ない電装部品を発熱量の多い電装部品に対し冷却風の風上に配置するようにしているので、発熱量の少ない電装部品が加熱されることがない。よって、発熱量の少ない電装部品の熱の影響による誤動作などを回避でき、信頼性が向上する。
【００４８】
また、第２ケースの底部を第１ケースよりも後方へ膨出させ、この底部に設けた通気口から直接冷却風を取り込んで第２ケース内の発熱量の多い電装部品を冷却するようにしているので、第１ケース内の電装部品の影響を受けることなく、発熱量の多い電装部品を十分に冷却することができる。よって、発熱量の多い電装部品の熱の影響による誤動作なども回避でき、信頼性が向上する。
【００４９】
本発明の請求項２に係わる衣類乾燥機の構成によれば、第２ケースの通気口の入口側に設けたリブにより、冷却風をスムーズに通気口に導くようにしたので、通気口からより良く冷却風を第２ケース内に取り込むことができ、冷却効率が向上する。
【図面の簡単な説明】
【図１】本発明の一実施形態の衣類乾燥機の概要を示す正面図である。
【図２】同じく衣類乾燥機の概要を示す側面縦断面図である。
【図３】操作パネル及び制御ボックスの表側の構造を示す分解斜視図である。
【図４】操作パネル及び制御ボックスの裏側の構造を示す分解斜視図である。
【図５】（ａ）はリードスイッチの取付構造を示す要部の分解斜視図、（ｂ）は同じく要部の断面図である。
【符号の説明】
７    ドラム（乾燥室）
１７    両面ファン
１８    循環ファン面
１９    冷却ファン面
３７    操作パネル
３８    制御ボックス
３８ａ    第１ケース
３８ｂ    第２ケース
５３    底部
５４    通気口
５５    リブ
【図１】
0003630865.tif 000002
【図２】
0003630865.tif 000003
【図３】
0003630865.tif 000004
【図４】
0003630865.tif 000005
【図５】
0003630865.tif 000006